(57)【要約】【課題】「Ｔｉｍｅ-Ｓｗｉｔｃｈｅｄ  ＵＬ  ＣＡ」が行われる場合に、上りリンクにおける干渉の発生を抑制する。【解決手段】本発明に係る移動局ＵＥは、無線基地局ｅＮＢによってＴＴＩ＃ｘにおいて移動局ＵＥ宛てのＰＤＣＣＨを介して割り当てられたＣＣを用いて、ＴＴＩ＃ｎに対応するＴＴＩ＃ｘ＋４において、上りリンク情報を送信するように構成されているＵＬ送信処理部１１を具備しており、ＵＬ送信処理部１１は、各ＴＴＩにおいて、１つのＣＣのみを用いて、上りリンク情報を送信するように構成されており、ＴＴＩ＃ｘ＋４が、上りリンク情報の送信に用いるＣＣを切り替える「ｓｗｉｔｃｈｉｎｇ  ｐｅｒｉｏｄ」内に含まれる場合には、ＵＬ送信処理部１１は、ＴＴＩ＃ｘ＋４において、上りリンク情報を送信しないように構成されている。【選択図】図３
2014023055.tif 000002
【特許請求の範囲】
【請求項１】
無線基地局との間の上りリンクにおいて、複数のコンポーネントキャリアを用いたキャリアアグリゲーションを行うことができるように構成されている移動局であって、
送信時間間隔において、上りリンク情報を送信するように構成されている上りリンク送信処理部を具備しており、
前記上りリンク送信処理部は、各送信時間間隔において、１つのコンポーネントキャリアのみを用いて、上りリンク情報を送信するように構成されており、
前記送信時間間隔が、上りリンク情報の送信に用いるコンポーネントキャリアを切り替える切替期間内に含まれる場合には、前記上りリンク送信処理部は、該送信時間間隔において、上りリンク情報を送信しないように構成されていることを特徴とする移動局。
【請求項２】
前記上りリンク送信処理部は、前記送信時間間隔において送信されなかった上りリンク情報について破棄することなく保持するように構成されていることを特徴とする請求項１に記載の移動局。
【発明の詳細な説明】
【技術分野】
【０００１】
本発明は、移動局に関する。
【背景技術】
【０００２】
ＬＴＥ（Ｌｏｎｇ  Ｔｅｒｍ  Ｅｖｏｌｕｔｉｏｎ）-Ａｄｖａｎｃｅ方式の移動通信システムでは、複数のＣＣ（Ｃｏｍｐｏｎｅｎｔ  Ｃａｒｒｉｅｒ、コンポーネントキャリア）を用いて上りリンク情報を送信する「Ｕｐｌｉｎｋ  ＣＡ（Ｃａｒｒｉｅｒ  Ａｇｇｒｅｇａｔｉｏｎ）」を行うことができるように構成されている。
【０００３】
しかしながら、従来のＦＤＤシステムを実現するための無線構成では、同一のバンド内の上りリンク帯域から下りリンク帯域への漏れ込みを抑圧するために、Ｄｕｐｌｅｘｅｒが挿入される。
【０００４】
一方で、「Ｉｎｔｅｒ-ｂａｎｄ  ＣＡ」においては、異なるバンドで送信された上りリンク帯域から信号が、自帯域の下りリンク帯域漏れ込みが発生してしまう。その漏れ込みを抑圧するために、一般的には、Ｄｉｐｌｅｘｅｒを追加で挿入することが検討されている。
【０００５】
例えば、バンド＃Ａ/＃Ｂ内の上りリンク帯域から下りリンク帯域への信号（図６における実線）は、その漏れ込みを抑圧するためにＤｕｐｌｅｘｅｒ＃Ａ/＃Ｂが挿入される。
【０００６】
加えて、バンド＃Ａ/＃Ｂ内の上りリンク帯域からバンド＃Ｂ/＃Ａ内の下りリンク帯域へ漏れ込む信号（図６における点線）に関しては、同様に、Ｄｉｐｌｅｘｅｒを挿入することで、漏れ込む信号を抑圧することができる。
【０００７】
しかしながら、異なるバンド間での上りリンク帯域から下りリンク帯域へのＤｉｐｌｅｘｅｒを経由しての信号の漏れ込みに対しては、複数の上りリンク帯域からの信号が発生した場合に関しては何ら対策が講じられていない。
【０００８】
特に、そのために発生する送信スプリアスや受信感度の劣化や送信電力の低減等が発生してしまうという問題点があった。
【０００９】
かかる問題点を解決するために、「Ｔｉｍｅ-Ｓｗｉｔｃｈｅｄ（ＴＳ） ＵＬ  ＣＡ」という手法が規定されている（例えば、非特許文献２参照）。
【００１０】
「Ｔｉｍｅ-Ｓｗｉｔｃｈｅｄ  ＵＬ  ＣＡ」を行う移動局ＵＥは、各ＴＴＩ（Ｔｒａｎｓｍｉｓｓｉｏｎ  Ｔｉｍｅ  Ｉｎｔｅｒｖａｌ、送信時間間隔）において、１つのＣＣのみからしか、上りリンク情報を送信することができないという制約を受けるように構成されている。
【００１１】
図７に示すように、「Ｔｉｍｅ-Ｓｗｉｔｃｈｅｄ  ＵＬ  ＣＡ」を行う移動局ＵＥは、ＴＴＩごとに、上りリンク情報の送信に用いるＣＣを切り替えるように構成されている。
【００１２】
ここで、実際には、上りリンク情報の送信に用いるＣＣを切り替えるための「ｓｗｉｔｃｈｉｎｇ  ｐｅｒｉｏｄ」が必要となる。なお、かかる「ｓｗｉｔｃｈｉｎｇ  ｐｅｒｉｏｄ」は、１ＴＴＩ（１ｍｓ）よりも長くなる可能性がある。
【先行技術文献】
【非特許文献】
【００１３】
【非特許文献１】３ＧＰＰ  ＴＳ３６.３００
【非特許文献２】３ＧＰＰ  Ｒ４-１２１５５９
【発明の概要】
【発明が解決しようとする課題】
【００１４】
しかしながら、上述のような「Ｔｉｍｅ-Ｓｗｉｔｃｈｅｄ  ＵＬ  ＣＡ」が行われる場合、以下のような問題点が発生する可能性がある（図８及び図９参照）。
【００１５】
第１に、図８を参照して、かかる問題点が発生する可能性があるケースＡについて説明する。
【００１６】
図８に示すように、移動局ＵＥは、ステップＳ１００１（ＴＴＩ＃ｎ）において、ＰＤＣＣＨ（Ｐｈｙｓｉｃａｌ  Ｄｏｗｎｌｉｎｋ  Ｃｏｎｔｒｏｌ  Ｃｈａｎｎｅｌ、物理下り制御チャネル）を介してＣＣ＃１における上りリンク情報の送信についてのスケジューリング情報を取得した場合、ステップＳ１００４（ＴＴＩ＃ｎ＋４）において、ＣＣ＃１を介して上りリンク情報を送信する。
【００１７】
ここで、移動局ＵＥは、ステップＳ１００２（ＴＴＩ＃ｎ＋１）において、無線基地局ｅＮＢによって実際には送信されていないＰＤＣＣＨを介したＣＣ＃１における上りリンク情報の送信についてのスケジューリング情報を検出した場合（「Ｆａｌｓｅ  Ａｌａｒｍ」を検出した場合）で、かつ、ステップＳ１００３（ＴＴＩ＃ｎ＋２）において、ＰＤＣＣＨを介してＣＣ＃２における上りリンク情報の送信についてのスケジューリング情報を取得した場合、ステップＳ１００５（ＴＴＩ＃ｎ＋５）において、ＣＣ＃１を介して上りリンク情報を送信し、ステップＳ１００６（ＴＴＩ＃ｎ＋６）において、上りリンク情報を送信することになる。
【００１８】
かかる場合、ＴＴＩ＃ｎ＋６は、「ｓｗｉｔｃｈｉｎｇ  ｐｅｒｉｏｄ」内に含まれているため、移動局ＵＥは、ステップＳ１００６では、ＣＣ＃１及びＣＣ＃２のどちらにもチューニングできていない状態で、すなわち、上りリンク情報の送信に用いるＣＣのＣＣ＃１からＣＣ＃２への切り替えが完了する前に、上りリンク情報を送信することになり、上りリンクにおける干渉が発生してしまうという問題点があった。
【００１９】
第２に、図９を参照して、かかる問題点が発生する可能性があるケースＢについて説明する。
【００２０】
図９に示すように、移動局ＵＥは、ステップＳ２００１/Ｓ２００２（ＴＴＩ＃ｎ/ＴＴＩ＃ｎ＋１）において、ＰＤＣＣＨを介してＣＣ＃１における上りリンク情報の送信についてのスケジューリング情報を取得した場合、ステップＳ２００４/Ｓ２００５（ＴＴＩ＃ｎ＋４/ＴＴＩ＃ｎ＋５）において、ＣＣ＃１を介して上りリンク情報を送信する。
【００２１】
ここで、移動局ＵＥは、ステップＳ２００３（ＴＴＩ＃ｎ＋２）において、無線基地局ｅＮＢによって実際には送信されていないＰＤＣＣＨを介したＣＣ＃２における上りリンク情報の送信についてのスケジューリング情報を検出した場合（「Ｆａｌｓｅ  Ａｌａｒｍ」を検出した場合）、ステップＳ２００６（ＴＴＩ＃ｎ＋６）において、上りリンク情報を送信することになる。
【００２２】
かかる場合、ＴＴＩ＃ｎ＋６は、「ｓｗｉｔｃｈｉｎｇ  ｐｅｒｉｏｄ」内に含まれているため、移動局ＵＥは、ステップＳ２００６では、ＣＣ＃１及びＣＣ＃２のどちらにもチューニングできていない状態で、すなわち、上りリンク情報の送信に用いるＣＣのＣＣ＃１からＣＣ＃２への切り替えが完了する前に、上りリンク情報を送信することになり、上りリンクにおける干渉が発生してしまうという問題点があった。
【００２３】
そこで、本発明は、上述の課題に鑑みてなされたものであり、「Ｔｉｍｅ-Ｓｗｉｔｃｈｅｄ  ＵＬ  ＣＡ」が行われる場合に、上りリンクにおける干渉の発生を抑制することができる移動局を提供することを目的とする。
【課題を解決するための手段】
【００２４】
本発明の第１の特徴は、無線基地局との間の上りリンクにおいて、複数のコンポーネントキャリアを用いたキャリアアグリゲーションを行うことができるように構成されている移動局であって、送信時間間隔において、上りリンク情報を送信するように構成されている上りリンク送信処理部を具備しており、前記上りリンク送信処理部は、各送信時間間隔において、１つのコンポーネントキャリアのみを用いて、上りリンク情報を送信するように構成されており、前記送信時間間隔が、上りリンク情報の送信に用いるコンポーネントキャリアを切り替える切替期間内に含まれる場合には、前記上りリンク送信処理部は、該送信時間間隔において、上りリンク情報を送信しないように構成されていることを要旨とする。
【発明の効果】
【００２５】
以上説明したように、本発明によれば、「Ｔｉｍｅ-Ｓｗｉｔｃｈｅｄ  ＵＬ  ＣＡ」が行われる場合に、上りリンクにおける干渉の発生を抑制することができる移動局を提供することができる。
【図面の簡単な説明】
【００２６】
【図１】本発明の第１の実施形態に係る移動通信システムの全体構成図である。
【図２】本発明の第１の実施形態に係る移動局の機能ブロック図である。
【図３】本発明の第１の実施形態に係る移動局の動作を説明するための図である。
【図４】本発明の第１の実施形態に係る移動局の動作を説明するための図である。
【図５】本発明の第１の実施形態に係る移動局の動作を示すフローチャートである。
【図６】従来の移動通信システムについて説明するための図である。
【図７】従来の移動通信システムについて説明するための図である。
【図８】従来の移動通信システムの問題点について説明するための図である。
【図９】従来の移動通信システムの問題点について説明するための図である。
【発明を実施するための形態】
【００２７】
（本発明の第１の実施形態に係る移動通信システム）
図１乃至図５を参照して、本発明の第１の実施形態に係る移動通信システムについて説明する。
【００２８】
本実施形態では、ＬＴＥ-Ａｄｖａｎｃｅｄ方式の移動通信システムを例に挙げて説明するが、本発明は、かかる移動通信システムに限定されず、他の方式の移動通信システムにも適用可能である。
【００２９】
図１に示すように、本実施形態に係る移動通信システムは、ＣＣ＃１及びＣＣ＃２を管理する無線基地局ｅＮＢ＃２と、移動局ＵＥとを具備している。
【００３０】
本実施形態に係る移動通信システムでは、移動局ＵＥは、無線基地局ｅＮＢとの間の上りリンクにおいて、ＣＣ＃１及びＣＣ＃２を用いたＣＡ、より具体的には、「Ｉｎｔｅｒ-ｂａｎｄ  ＣＡ」を行うことができるように構成されている。
【００３１】
図２に示すように、移動局ＵＥは、ＵＬ送信処理部１１と、ＣＣ管理部１２と、ＲＦ管理部１３と、ＵＬ送信部１４と、ＤＬ受信部１５とを具備している。
【００３２】
ＵＬ送信処理部１１は、無線基地局ｅＮＢによってＴＴＩ＃ｘにおいて移動局ＵＥ宛てのＰＤＣＣＨを介して割り当てられた（スケジューリングされた）ＣＣを用いて、ＴＴＩ＃ｘに対応するＴＴＩ＃ｘ＋４において、上りリンク情報を送信するように構成されている。
【００３３】
なお、移動局ＵＥが、「Ｔｉｍｅ-Ｓｗｉｔｃｈｅｄ  ＵＬ  ＣＡ」を行っている場合、ＵＬ送信処理部１１は、各ＴＴＩにおいて、１つのＣＣのみを用いて、上りリンク情報を送信するように構成されている。
【００３４】
ＣＣ管理部１２は、ＣＡで用いられているＣＣを管理するように構成されており、ＲＦ管理部１３は、「Ｉｎｔｅｒ-ｂａｎｄ  ＣＡ」で用いられているバンドを管理するように構成されている。
【００３５】
ＵＬ送信部１４は、送信機によって構成されており、ＤＬ受信部１５は、受信機によって構成されている。
【００３６】
以下、図３及び図４を参照して、本実施形態に係るＵＬ送信処理部１１の動作について説明する。
【００３７】
第１に、図３を参照して、上述のケースＡにおけるＵＬ送信処理部１１の動作について説明する。
【００３８】
図３に示すように、ＵＬ送信処理部１１は、ＴＴＩ＃ｎにおいて、ＰＤＣＣＨを介してＣＣ＃１における上りリンク情報の送信についてのスケジューリング情報を取得した場合、ＴＴＩ＃ｎ＋４において、ＣＣ＃１を介して上りリンク情報を送信するように構成されている。
【００３９】
また、ＵＬ送信処理部１１は、ＴＴＩ＃ｎ＋１において、無線基地局ｅＮＢによって実際には送信されていないＰＤＣＣＨを介したＣＣ＃１における上りリンク情報の送信についてのスケジューリング情報を検出した場合（「Ｆａｌｓｅ  Ａｌａｒｍ」を検出した場合）で、かつ、ＴＴＩ＃ｎ＋２において、ＰＤＣＣＨを介してＣＣ＃２における上りリンク情報の送信についてのスケジューリング情報を取得した場合、ＴＴＩ＃ｎ＋５において、ＣＣ＃１を介して上りリンク情報を送信する一方、ＴＴＩ＃６が「ｓｗｉｔｃｈｉｎｇ  ｐｅｒｉｏｄ」内に含まれているため、図８に示す従来の動作と異なり、ＴＴＩ＃ｎ＋６では、上りリンク情報を送信しないように構成されている。
【００４０】
この結果、ＴＴＩ＃ｎ＋６において、ＣＣ＃１及びＣＣ＃２のどちらにもチューニングできていない状態で、すなわち、上りリンク情報の送信に用いるＣＣのＣＣ＃１からＣＣ＃２への切り替えが完了する前に、上りリンク情報を送信してしまうという事態を回避することができ、上りリンクにおける干渉の発生を抑制することができる。
【００４１】
第２に、図４を参照して、上述のケースＢにおける送信処理部１１の動作について説明する。
【００４２】
図４に示すように、ＵＬ送信処理部１１は、ＴＴＩ＃ｎ及びＴＴＩ＃ｎ＋１において、ＰＤＣＣＨを介してＣＣ＃１における上りリンク情報の送信についてのスケジューリング情報を取得した場合、ＴＴＩ＃ｎ＋４及びＴＴＩ＃ｎ＋５において、ＣＣ＃１を介して上りリンク情報を送信するように構成されている。
【００４３】
また、ＵＬ送信処理部１１は、ＴＴＩ＃ｎ＋２において、無線基地局ｅＮＢによって実際には送信されていないＰＤＣＣＨを介したＣＣ＃２における上りリンク情報の送信についてのスケジューリング情報を検出した場合（「Ｆａｌｓｅ  Ａｌａｒｍ」を検出した場合）、ＴＴＩ＃６が「ｓｗｉｔｃｈｉｎｇ  ｐｅｒｉｏｄ」内に含まれているため、図９に示す従来の動作と異なり、ＴＴＩ＃ｎ＋６では、上りリンク情報を送信しないように構成されている。
【００４４】
この結果、ＴＴＩ＃ｎ＋６において、ＣＣ＃１及びＣＣ＃２のどちらにもチューニングできていない状態で、すなわち、上りリンク情報の送信に用いるＣＣのＣＣ＃１からＣＣ＃２への切り替えが完了する前に、上りリンク情報を送信してしまうという事態を回避することができ、上りリンクにおける干渉の発生を抑制することができる。
【００４５】
すなわち、上述のＴＴＩ＃ｘ＋４が、上りリンク情報の送信に用いるＣＣを切り替える「ｓｗｉｔｃｈｉｎｇ  ｐｅｒｉｏｄ」内に含まれる場合には、ＵＬ送信処理部１１は、かかるＴＴＩ＃ｘ＋４において、上りリンク情報を送信しないように構成されている。
【００４６】
ここで、具体的には、ＵＬ送信処理部１１は、ＭＡＣ（Ｍｅｄｉａ  Ａｃｃｅｓｓ  Ｃｏｎｔｒｏｌ）レイヤにおいて、上りリンク情報（ＭＡＣ-ＰＤＵ）を生成し、物理レイヤにおいて、かかる上りリンク情報（ＭＡＣ-ＰＤＵ）を送信しないように構成されていてもよい。
【００４７】
かかる場合であっても、ＵＬ送信処理部１１は、通常通り、後続のＨＡＲＱ再送について実施するように構成されていることが好ましい。
【００４８】
また、ＵＬ送信処理部１１は、ＴＴＩ＃ｘ＋４において送信されなかった上りリンク情報（ＭＡＣ-ＰＤＵ）について破棄することなく保持するように構成されていてもよい。
【００４９】
なお、ＵＬ送信処理部１１は、かかる上りリンク情報（ＭＡＣ-ＰＤＵ）についてのＰＨＩＣＨ（Ｐｈｙｓｉｃａｌ  Ｈｙｂｒｉｄ-ＡＲＱ  Ｉｎｄｉｃａｔｏｒ  Ｃｈａｎｎｅｌ）を介して送信される送達確認結果や「ＵＬ  ｇｒａｎｔ（Ａｄａｐｔｉｖｅ再送用）」について監視するように構成されている。
【００５０】
なお、図３に示すケースＡの例において、無線基地局ｅＮＢは、「ｓｗｉｔｃｈｉｎｇ  ｐｅｒｉｏｄ」の存在を考慮して、ＴＴＩ＃ｎ＋１では、ＰＤＣＣＨを介してＣＣ＃１又はＣＣ＃２における上りリンク情報の送信についてのスケジューリング情報を送信しないように構成されていることが好ましい。
【００５１】
同様に、図４に示すケースＢの例において、無線基地局ｅＮＢは、「ｓｗｉｔｃｈｉｎｇ  ｐｅｒｉｏｄ」の存在を考慮して、ＴＴＩ＃ｎ＋２では、ＰＤＣＣＨを介してＣＣ＃２における上りリンク情報の送信についてのスケジューリング情報を送信しないように構成されていることが好ましい。
【００５２】
以下、図５を参照して、本実施形態に係る移動局ＵＥの動作について説明する。
【００５３】
図５に示すように、移動局ＵＥは、ステップＳ１０１において、上りリンク情報の送信がトリガされると、すなわち、ＰＤＣＣＨを介して上りリンク情報の送信についてのスケジューリング情報を取得した場合、ステップＳ１０２において、上りリンク情報を送信すべきＴＴＩが「ｓｗｉｔｃｈｉｎｇ  ｐｅｒｉｏｄ」内に含まれるか否かについて判定する。
【００５４】
上りリンク情報を送信すべきＴＴＩが「ｓｗｉｔｃｈｉｎｇ  ｐｅｒｉｏｄ」内に含まれると判定された場合、ステップＳ１０３において、移動局ＵＥは、かかる上りリンク情報の送信を中止する。
【００５５】
一方、上りリンク情報を送信すべきＴＴＩが「ｓｗｉｔｃｈｉｎｇ  ｐｅｒｉｏｄ」内に含まれないと判定された場合、ステップＳ１０４において、移動局ＵＥは、かかるＴＴＩにおいて、かかる上りリンク情報を送信する。
【００５６】
本実施形態に係る移動通信システムによれば、「Ｔｉｍｅ-Ｓｗｉｔｃｈｅｄ  ＵＬ  ＣＡ」が行われる場合に、上りリンク情報の送信に用いるＣＣの切り替えが完了する前に、上りリンク情報を送信してしまうという事態を回避することができ、上りリンクにおける干渉の発生を抑制することができる。
【００５７】
以上に述べた本実施形態の特徴は、以下のように表現されていてもよい。
【００５８】
本実施形態の第１の特徴は、無線基地局ｅＮＢとの間の上りリンクにおいて、複数のＣＣ（コンポーネントキャリア）を用いたＣＡ（キャリアアグリゲーション）を行うことができるように構成されている移動局ＵＥであって、無線基地局ｅＮＢによってＴＴＩ＃ｘ（第１送信時間間隔）において移動局ＵＥ宛てのＰＤＣＣＨ（物理下り制御チャネル）を介して割り当てられたＣＣを用いて、ＴＴＩ＃ｘに対応するＴＴＩ＃ｘ＋４（第２送信時間間隔）において、上りリンク情報を送信するように構成されているＵＬ送信処理部１１（上りリンク送信処理部）を具備しており、ＵＬ送信処理部１１は、各ＴＴＩにおいて、１つのＣＣのみを用いて、上りリンク情報を送信するように構成されており、ＴＴＩ＃ｘ＋４が、上りリンク情報の送信に用いるＣＣを切り替える「ｓｗｉｔｃｈｉｎｇ  ｐｅｒｉｏｄ（切替期間）」内に含まれる場合には、ＵＬ送信処理部１１は、ＴＴＩ＃ｘ＋４において、上りリンク情報を送信しないように構成されていることを要旨とする。
【００５９】
本実施形態の第１の特徴において、ＵＬ送信処理部１１は、ＴＴＩ＃ｘ＋４において送信されなかった上りリンク情報について破棄することなく保持するように構成されていてもよい。
【００６０】
また、上述の実施形態では、移動局ＵＥ宛てのＰＤＣＣＨによってトリガされた上りリンク情報を例に挙げて説明しているが、本発明は、その他の上りリンク情報の送信、例えば、ＰＤＣＣＨ（物理下り制御チャネル）を介さずに、移動局ＵＥが自律的に送信をトリガする上りリンク情報に対しても適用可能である。
【００６１】
移動局ＵＥが自律的に送信をトリガする上りリンク情報としては、ＰＲＡＣＨ（Ｐｈｙｓｉｃａｌ  Ｒａｎｄｏｍ  Ａｃｃｅｓｓ  Ｃｈａｎｎｅｌを介して送信する上りリンク情報や、ＳＲＳ（Ｓｏｕｎｄｉｎｇ  Ｒｅｆｅｒｅｎｃｅ  Ｓｉｇｎａｌ）や、ＰＵＣＣＨ（Ｐｈｙｉｃａｌ  Ｕｐｌｉｎｋ  Ｃｏｎｔｒｏｌ  Ｃｈａｎｎｅｌ、物理上り制御チャネル）を介して送信する上りリンク情報等が想定される。
【００６２】
すなわち、本実施形態の第１の特徴は、無線基地局ｅＮＢとの間の上りリンクにおいて、複数のＣＣを用いたＣＡを行うことができるように構成されている移動局ＵＥであって、ＴＴＩ＃ｘ＋４（送信時間間隔）において、上りリンク情報を送信するように構成されているＵＬ送信処理部１１を具備しており、ＵＬ送信処理部１１は、各ＴＴＩにおいて、１つのＣＣのみを用いて、上りリンク情報を送信するように構成されており、ＴＴＩ＃ｘ＋４が、上りリンク情報の送信に用いるＣＣを切り替える「ｓｗｉｔｃｈｉｎｇ  ｐｅｒｉｏｄ」内に含まれる場合には、ＵＬ送信処理部１１は、ＴＴＩ＃ｘ＋４において、上りリンク情報を送信しないように構成されていることを要旨とするということができる。
【００６３】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００６４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００６６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６７】
ｅＮＢ…無線基地局
ＵＥ…移動局
１１…ＵＬ送信管理部
１２…ＣＣ管理部
１３…ＲＦ管理部
１４…ＵＬ送信部
１５…ＤＬ受信部
【図１】
2014023055.tif 000003
【図２】
2014023055.tif 000004
【図３】
2014023055.tif 000005
【図４】
2014023055.tif 000006
【図５】
2014023055.tif 000007
【図６】
2014023055.tif 000008
【図７】
2014023055.tif 000009
【図８】
2014023055.tif 000010
【図９】
2014023055.tif 000011